(57)【要約】  【課題】犬や猫等のペットの遺体を収納するためのペット用遺体収納袋に関し、遺体として収納するペットの大きさを考慮してガゼットが形成された袋でありながら、従来の収納袋に比べてペットの遺体の収納作業を容易に行うことのできるペット用遺体収納袋を提供することを課題とする。  【解決手段】収納袋本体の側片にガゼットが形成され、該ガゼットの折り込みによって形成される側片の上側シート部及び下側シート部のうちのいずれかに、前記収納袋本体を開閉するための開閉部が形成されていることを特徴とする。【選択図】図１
2008194081.tif 000002
【特許請求の範囲】
【請求項１】
ペットの遺体を収納するための収納袋であって、収納袋本体（１）の側片（１ｃ）にガゼット（６）が形成され、該ガゼット（６）の折り込みによって形成される
側片（１ｃ）の上側シート部（１９ａ）及び下側シート部（１９ｂ）のうちのいずれかに、前記収納袋本体（１）を開閉するための開閉部が形成されていることを特徴とするペット用遺体収納袋。
【請求項２】
ガゼット（６）の折り込みによって形成される側片（１ｃ）の上側シート部（１９ａ）及び下側シート部（１９ｂ）のうち、下側シート部（１９ｂ）側に収納袋本体（１）を開閉するための開閉部が形成されている請求項１記載のペット用遺体収納袋。
【請求項３】
開閉部がスライダーチャック（１４）によって構成されている請求項１又は２記載のペット用遺体収納袋。
【請求項４】
ペットの遺体を収納することができる大きさに形成され、且つ収納袋本体（１）内に収納することができる大きさに形成された内袋（２）がさらに具備されている請求項１乃至３のいずれかに記載のペット用遺体収納袋。
【請求項５】
内袋（２）の開口部を封止するための封止用シール（５）がさらに具備されている請求項１乃至４のいずれかに記載のペット用遺体収納袋。
【請求項６】
ペットの遺体を載置するための敷布団（３）がさらに具備されている請求項１乃至５のいずれかに記載のペット用遺体収納袋。
【請求項７】
収納袋本体（１）が透明な合成樹脂製シートで構成され、且つ該収納袋本体（１）の表片（１ａ）側にはインクが設けられて、該表片（１ａ）が不透明に構成されている請求項１乃至６のいずれかに記載のペット用遺体収納袋。
【請求項８】
表片（１ａ）の不透明に構成された部分において、収納袋本体（１）内に収納されたペットの顔の部分を現出させるように、透明な窓部（８）が形成されている請求項１乃至７のいずれかに記載のペット用遺体収納袋。
【請求項９】
収納袋本体（１）内に収納されるペットの名前を表示する名前表示欄（１０）が、収納袋本体（１）の表片（１ａ）側に設けられている請求項１乃至８のいずれかに記載のペット用遺体収納袋。
【請求項１０】
収納袋本体（１）内に収納されるペットに対するメッセージを表示するメッセージ表示欄（１２）が、収納袋本体（１）の表片（１ａ）側に設けられている請求項１乃至９のいずれかに記載のペット用遺体収納袋。
【請求項１１】
収納袋本体（１）の表片（１ａ）側に貼着可能で、収納袋本体（１）内に収納されるペットの写真を収納することができる写真収納袋（４）がさらに具備されている請求項１乃至１０のいずれかに記載のペット用遺体収納袋。
【発明の詳細な説明】
【技術分野】
【０００１】
本発明はペット用遺体収納袋、さらに詳しくは、犬や猫等のペットの遺体を収納するためのペット用遺体収納袋に関する。
【背景技術】
【０００２】
周知のように、犬や猫等の動物はペットとして愛玩されており、特に犬はペットとして非常に多くの人々に飼われており、ペット専用の商品も年々増加する傾向にある。飼い主のペットに対する愛着は、ペットを飼わない者には想像し難い程に大きい場合もあり、従って、ペットが死んだときの悲しみも、ペットを飼わない者に想像できない程に大きい場合もある。
【０００３】
ペットが死んだときは、火葬や土葬で遺体が処理されるが、それまでは、一般には毛布やダンボール等に収納されている。ところが、このような毛布やダンボール等の代用品でペットの遺体を収納する場合には、搬送性、収納性、利便性に欠けることから、これらの問題を解決するために、たとえば下記特許文献１に記載されたような考案もなされている。
【０００４】
また、上記特許文献１に記載された考案では、遺体の死後、焼却や埋葬までの間、遺体を安置し、ある程度の期間、保存できるような密閉構造を有していないことから、このような課題を解決するために、たとえば下記特許文献２や特許文献３のような考案や発明もなされている。そして、上記課題解決のため、特許文献２や特許文献３に開示されたペット用遺体収納袋は、袋の素材に抗菌性や消臭性を具備させている。
【０００５】
さらに、上記特許文献２や特許文献３の改良発明として、下記特許文献４のような発明もなされている。この特許文献４では、ペットの大きさを考慮し、その遺体を収納するときの作業性を考慮して、側面にガゼットを形成した収納袋も開示されている。すなわち、上記特許文献１乃至３に開示されたような収納袋では、ペットの遺体を収納するときに、ペットの大きさに応じて袋が膨らまないので、遺体の収納作業が非常に煩雑であり、また収納作業を容易にするためには、袋が必要以上に大きくなるので、上記のようなガゼットを形成して収納作業時の便宜を図ったものである。
【０００６】
この特許文献４に開示されたガゼット付きの収納袋は、袋の開閉部分となるチャックが、該特許文献４の図３にも記載されているように、袋の側端縁部に設けられているので、袋の開口部も、その側端縁部の位置に形成されることとなる。しかし、本発明者等が鋭意研究した結果、この側端縁部の位置に形成された開口部からペットの遺体を収納する場合、その収納作業が非常に行いにくいことがわかった。
【０００７】
これは、上記特許文献４のガゼットを有する収納袋の場合、上記開口部が形成された側端縁部が、ガゼットの折り込み部分となるガゼット底部とは反対側のガゼットの先端部に位置するため、ガゼットを展開して袋を膨出させる際には、袋の側面側に開口部が存在するのではなく、側面と上面との境界部分である縁部分に開口部が位置することとなるので、大きなペットの遺体を収納する際に、その収納作業が必要以上に煩雑になるとの理由であると認められる。また、このように側面と上面との境界部分である縁部分に開口部が位置していると、ペットの遺体を斜め下向きの方向に収納しなければならず、このことも収納作業が煩雑になる理由であると認められる。すなわち、このようなペットの遺体の収納作業は、そのペットの遺体を持ち上げた上で行わなければならないため、上記のような収納袋の側面と上面との境界部分の開口部からペットの遺体を斜め下向きの方向に収納しようとすると、その収納の作業が煩雑となるのである。
【０００８】
ただし、この種のペット用遺体収納袋という物品の特性上、ある程度の大きさのペットの遺体を収納する便宜から、上記ガゼットの形成は非常に有用であり、また遺体を収納する上での衛生的観点からチャックを形成することが必要であり、さらに、ガゼット付きであるとともにチャック付きである収納袋が合成樹脂シートで製袋される上での製袋上の技術的観点と、チャックの構造との双方から、どうしても上記のような袋の側面と上面との境界部分である端縁部分に開口部を形成せざるを得なかったものと思われる。
【０００９】
【特許文献１】実用新案登録第３０７１９３５号公報
【特許文献２】実用新案登録第３０９９２００号公報
【特許文献３】特開２００５−４９４号公報
【特許文献４】特開２００６−１１６０６９号公報
【発明の開示】
【発明が解決しようとする課題】
【００１０】
本発明は、上述のような問題点を解決するためになされたもので、遺体として収納するペットの大きさを考慮してガゼットが形成された袋でありながら、上記従来の収納袋に比べてペットの遺体の収納作業を容易に行うことのできるペット用遺体収納袋を提供することを課題とする。また本発明は、ペットが死んだ後に遺体を安置して火葬を行うまでの間に、ペットに対して愛着を持つ飼い主が、人間の葬儀と同じように丁重に遺体を取り扱うのにふさわしい、専用のペット用遺体収納袋を提供することを課題とする。
【課題を解決するための手段】
【００１１】
本発明は、このような課題を解決するためになされたもので、収納袋本体の側片にガゼットが形成され、該ガゼットの折り込みによって形成される側片の上側シート部及び下側シート部のうちのいずれかに、前記収納袋本体を開閉するための開閉部が形成されていることを特徴とするペット用遺体収納袋を提供するものである。
ガゼットの折り込みによって形成される側片の上側シート部及び下側シート部のうち、下側シート部側に収納袋本体を開閉するための開閉部が形成されることが望ましい。この開閉部としては、たとえばチャックのようなものが用いられる。
【００１２】
また、ペットの遺体を収納することができる大きさに形成され、且つ袋本体内に収納することができる大きさに形成された内袋をさらに具備させることも可能である。この場合、上記ガゼットを有する収納袋本体は、内袋を収納する外袋として使用される。このような内袋の開口部を封止するための封止用シールをさらに具備させることも可能である。
【００１３】
ペットの遺体を載置するための座布団を、さらに具備させることも可能である。
また収納袋本体を透明な合成樹脂製シートで構成し、収納袋本体の表片側にインクを設けて不透明に形成することも可能である。そのような不透明に形成された部分のうち、収納袋本体内に収納されたペットの顔の部分を現出させるように、透明な窓部を形成することも可能である。また袋本体内に収納されるペットの名前を表示する名前表示欄を表片に設けることも可能である。
【００１４】
さらに、収納袋本体内に収納されるペットに対するメッセージを表示するメッセージ表示欄を、収納袋本体の表片に設けることも可能である。収納袋本体の表片側に貼着可能で、収納袋本体内に収納されるペットの写真を収納することができる写真収納袋を、さらに具備させることも可能である。
【発明の効果】
【００１５】
本発明は、上述のように、収納袋本体の側片にガゼットが形成され、該ガゼットによって折り込まれる側片を構成する上側シート部及び下側シート部のうちのいずれかに、収納袋本体を開閉するための開閉部が形成されているため、従来のように、
収納袋本体の表片と側片との境界部分である袋の側端縁部に開口部が形成されているようなものに比べると、ペットの遺体の収納作業を容易に行うことができるという効果がある。
【００１６】
特に、収納袋本体の側片の下側シート部側に開口部が形成されている場合には、ペットの遺体の収納作業が一層容易となる効果がある。
【００１７】
さらに、ペットの遺体を内袋に収納したものと、その遺体を収納した内袋を載置するための敷布団との双方を収納袋本体に収納する場合には、収納袋本体に収納される被収納物が嵩張ることになるので、上記のようにガゼットによって折り込まれる側片に開口部が形成されていることで、従来のように、収納袋本体の側片と表片との境界部分である袋の側端縁部に開口部が形成されていたペット用遺体収納袋に比べると、ペットの遺体を収納する作業が著しく容易となる。
【００１８】
そして、このようにペットの遺体を収納した内袋と、その遺体を収納した内袋を載置するための敷布団との双方を収納袋本体に収納する場合の作業性は、収納袋本体の側片の下側シート部側に開口部が形成されている場合に、上記従来のような側片と表片との境界部分に開口部が形成されている場合と比較して一層顕著となる。
【００１９】
さらに、外袋である収納袋本体に収納する前に、内袋にペットの遺体を収納し、さらに、その内袋の開口部を封止用シールで封止する場合には、ペットの遺体に対する密封性が良好となる利点がある。
【００２０】
さらに、収納袋本体の表片に、ペットの名前を表示する名前表示欄や、メッセージ表示欄を設け、さらに収納袋本体内に収納されるペットの写真を収納することができる写真収納袋を、収納袋本体の表片に貼着する場合には、ペットに愛着を持つ飼い主にとって、人間と同じように丁重に葬儀を行うことができるという効果がある。
【発明を実施するための最良の形態】
【００２１】
以下、本発明の実施形態について、図面に従って説明する。
【００２２】
本実施形態のペット用遺体収納袋は、図１に示すように、外袋としての収納袋本体１と、内袋２と、敷布団３と、写真収納袋４と、封止用シール５とを具備して構成されている。
【００２３】
外袋としての収納袋本体１は、全体が合成樹脂製シートからなり、図２乃至図４に示すように平面略長方形状に形成されている。この収納袋本体１は、図７及び図８に示すように１枚の合成樹脂製シートによって、表片１ａ、裏片１ｂ、及び両側片１ｃ、１ｃが形成され、該両側片１ｃ、１ｃには、合成樹脂製シートの折り込みによってガゼット６、６が形成されている。合成樹脂製シートの材質としては、たとえばポリエチレンが用いられる。
【００２４】
そして、図３に示すように、表片１ａ及び裏片１ｂの端部が熱シールされてシール部７ａ、７ｂが形成されることによって、全体が袋状に形成されている。
【００２５】
収納袋本体１の表片１ａには、図３に示すように円形の窓部８の部分のみが透明で、それ以外の部分に白色のインクが設けられて不透明に形成されている。また収納袋本体１の裏片１ｂは全体が透明に形成されている。
【００２６】
表片１ａの窓部８の周囲には、図２に示すように花柄の装飾模様９が施されており、前記窓部８の下部近辺に、収納袋本体１内に収納されるペットの名前を表示する名前表示欄１０が設けられている。さらに表片１ａの下部にも、花柄の装飾模様１１が施されており、該装飾模様１１の少し上側に、収納袋本体１内に収納されるペットに対するメッセージを表示するメッセージ表示欄１２が設けられている。さらに、前記名前表示欄１０とメッセージ表示欄１２との間には、写真収納袋４を貼着するための貼着欄１３が設けられている。
【００２７】
収納袋本体１の側片１ｃ、１ｃには、上述のようにガゼット６、６が形成されているが、収納袋本体１の表片１ａと側片１ｃとの境界部分がガゼット上縁部６ａとされ、収納袋本体１の裏片１ｂと側片１ｃとの境界部分がガゼット下縁部６ｂとされ、
さらに収納袋本体１の側片１ｃの中央折り込み部分がガゼット底縁部６ｃとされることにより、ガゼット６の全体は略Ｕ字状若しくは略Ｖ字状に形成されている。
【００２８】
両側片１ｃに形成されたガゼット６、６のうち、一方のガゼット６の部分には、図５及び図６に示すように、スライダーチャック１４が取り付けられている。このスライダーチャック１４は、図６、７、９に示すように、１対のチャックシート１５、１５と、１対のチャック嵌合体１６、１６と、スライダー摘み１７ａを有する
チャックガイド体１７とで構成されている。
【００２９】
収納袋本体１は、上述のように１枚の合成樹脂製シートによって形成されるものであるが、図７及び図９に示すように、その１枚の合成樹脂製シートの両端縁１８、１８の部分に跨がるようにスライダーチャック１４が取り付けられている。より具体的には、図７及び図９に示すように、スライダーチャック１４を構成する１対のチャックシート１５、１５が、合成樹脂製シートの両端縁１８、１８の部分にそれぞれ取り付けられ、さらにそのチャックシート１５、１５の内面側に１対のチャック嵌合体１６、１６が取り付けられ、そのチャック嵌合体１６、１６がチャックガイド体１７内に挿通されることによって、そのチャック嵌合体１６、１６をガイドレールとしてチャックガイド体１７がスライドしうるようにスライダーチャック１４が構成されている。
また、上述のような合成樹脂製シートの両端縁１８、１８の部分に跨がるようにスライダーチャック１４を取り付ける場合、１枚の合成樹脂製シートを切断し、切断した部分を両端縁１８、１８として、その両端縁１８、１８の間に、上記のようなチャックシート１５、１５やチャック嵌合体１６、１６が取り付けられることとなる。この場合、上記両端縁１８、１８の間にある程度の幅を設けた上で、チャックシート１５、１５を両端縁１８、１８に取り付けることが望ましい。両端縁１８、１８の間が接近しすぎると、上記チャックガイド体１７内にチャック嵌合体１６、１６が案内される際に、合成樹脂製シートの両端縁１８、１８の部分までもがチャックガイド体１７内に不用意に噛み込まれるおそれがあるからである。
その一方で、両端縁１８、１８の間の寸法が大きすぎると、チャックシート１５、１５を合成樹脂製シートの両端縁１８、１８にシールして取り付けることが困難となるおそれがある。これは、チャックシート１５、１５やチャック嵌合体１６、１６の幅の寸法がある程度定められていて、極端に両端縁１８、１８の間の寸法を大きくすることができないからである。
従って、両端縁１８、１８の間の寸法は、このようなチャックシート１５の取り付けと、上記のように合成樹脂製シートの両端縁１８、１８がチャックガイド体１７内に不用意に噛み込むのを防止することとの双方を考慮し設定するのが望ましい。
ちなみに、この両端縁１８、１８の間の幅は、チャックガイド体１７の幅に対して０、５〜２．０倍程度の寸法であることが望ましい。
【００３０】
そして、このスライダーチャック１４による開閉部分が、収納袋本体１の開口部３５となる。すなわち、スライダーチャック１４が閉じられていて、１対のチャック嵌合体１６、１６が相互に嵌合しているとき、収納袋本体１の開口部３５は閉鎖された状態となっており、スライダーチャック１４が開かれて１対のチャック嵌合体１６、１６の嵌合状態が解除されたときに、収納袋本体１の開口部３５は開口された状態となる。この場合、チャック嵌合体１６、１６がチャックガイド体１７内に案内される構造については図２６及び図２７に基づいて後述する。
【００３１】
さらに、上記スライダーチャック１４は、上記のようにガゼット６、６の形成によって折り込まれた側片１ｃの上側シート部１９ａ及び下側シート部１９ｂのうち、
下側シート部１９ｂの側に取り付けられている。尚、１対の両側片１ｃ、１ｃのうち、スライダーチャック１４は、図７に示すように一方の側片１ｃの側にのみ取り付けられ、他方の側片１ｃの側には取り付けられていない。
【００３２】
内袋２は、ペットの遺体を直接収容する袋であり、図１０乃至図１２に示すように正面略長方形状に形成され、全体がポリエチレン等の合成樹脂製シートで形成され、上部に開口部２１が形成されているとともに、下部は内袋２の表片２ａと裏片２ｂとが熱シールされてシール部２２が形成されている。また、内袋２の両側片２ｃ、２ｃには、図１２に示すようにガゼット２０、２０が形成されている。
【００３３】
敷布団３は、ペットの遺体を上記内袋２内に収納した状態で載置するためのもので、図１３及び図１４に示すように、布団地２３内にポリエステル系発泡樹脂等で構成された充填材２４を充填することによって構成されている。この敷布団３の四角コーナー部には、玉紐２５が取り付けられている。
【００３４】
写真収納袋４は、遺体を収容するペットの生前の写真を収納するための合成樹脂製の袋で、図１５に示すように、その写真収納袋４の表片４ａと裏片４ｂとの両側縁部２６ａ、２６ｂが熱溶着シールされ、且つ底部２６ｃが折り曲げられることによって、全体が略長方形の袋状に形成されている。このような底部２６ｃを形成する場合、合成樹脂製のシートを半分に折り曲げ、その折り曲げられた部分を底部２６ｃとすることによっても形成できるが、たとえば最初からチューブ状に形成された合成樹脂製のチューブ体を用い、その一側縁を切断し、切断された部分と反対側の部分を底部２６ｃとすることによっても形成することができる。
そして、写真収納袋４の上部には開口部２７が形成されている。この写真収納袋４の裏片４ｂ側の上下２箇所に、図１６に示すように、接着剤２８を介して離型材２９が設けられている。
【００３５】
封止用シール５は、図１７及び図１８に示すように、略楕円形に形成されたシール本体３０の裏面側に接着剤３１を介して離型材３２を設けることによって構成されている。
【００３６】
次に、上記のような構成からなるペット用遺体収納袋を使用する場合について説明する。
【００３７】
先ず、ペットの遺体を内袋２内に収納する。ペットの遺体を内袋２に収納するに際しては、図１９に示すように、内袋２のガゼット２０、２０を展開した状態とし、さらに図２０に示すように、内袋２の開口部２１からペットの遺体３３を収納する。この場合、ペットの遺体３３は、図２０のように、内袋２に対して横向き、すなわち、開口部２１に対して平行な向きに収納し、内袋２の底部側までペットの遺体３３を押し込む。この方向にペットの遺体３３を収納することによって、その遺体収納後に内袋２を折り畳むのが容易となる。
【００３８】
尚、ペットの遺体３３を収納する前に、図２１の２点鎖線で示すように、内袋２の開口部２１の端縁側を数回程度折り曲げておくのが望ましい。これによって、後に開口部２１を封止するのが容易となる。そして、ペットの遺体３３を収納した後、図２１に示すように、開口部２１の端縁側を、ペットの遺体３３が収納された内袋２の袋本体３４側に折り畳む。そして、前記封止用シール５のシール本体３０から離型材３２を剥離し、そのシール本体３０の部分を、図２１に示すように、内袋２の開口部２１の端縁と袋本体３４とに跨がるように貼着する。
【００３９】
次に、ペットの遺体３３が収納された内袋２と敷布団３とを、外袋としての収納袋本体１内に収納する。それに先立ち、収納袋本体１の表片１ａの上記名前表示欄１０に、遺体が収納されたペットの名前を記載し、またメッセージ表示欄１２にメッセージを表示する。さらに、生前のペットの写真３６を図２２に示すように写真収納袋４に入れ、離型材２９を剥がし、接着剤２８を介して収納袋本体１の貼着欄１３に、写真３６が収納された写真収納袋４を貼着する。
そして、このように収納袋本体１の表片１ａに上記所定事項を表示し、写真収納袋４を貼着した後、ペットの遺体３３が収納された内袋２と敷布団３とを図２３に示すように外袋としての収納袋本体１内に収納する。このようにしてペットの遺体の収納作業を行う場合、スライダーチャック１４は図２３に示すように開いた状態とする必要があり、収納袋本体１の開口部３５を開口した状態とされている。
この場合、内袋２は敷布団３の上に載置されて収納された状態とする必要があるので、後述するように、先に敷布団３を収納袋本体１に収納し、その後にペットの遺体が収納された内袋２を収納袋本体１内に収納することが望ましい。
このように、敷布団３と内袋２とを収納袋本体１内に収納する場合、図２４に示すように、開口部３５が形成されている側のガゼット６とは反対側に位置するガゼット６の折り込まれたフィルム（上側シート１９ａと下側シート１９ｂ）を延ばして、その反対側に位置するガゼット６を展開状態とし、その状態で同図のように開口部３５から敷布団３と内袋２とを容易に収納できることとなる。この場合、作業者が腕を開口部３５から挿入し、反対側に位置するガゼット６を押し広げることで、その反対側に位置するガゼット６を容易に展開状態とすることができる。
このように反対側に位置するガゼット６を展開状態とした後、図２５に示すように敷布団３を開口部３５から収納袋本体１内に収納し、下側シート１９ｂ、１９ｂが存在する収納袋本体１の底部に前記敷布団３が沿うように、該敷布団３を収納袋本体１の底部に設置する。
次に、図２５及び図２６に示すように、内袋２を収納袋本体１内に収納する。このように内袋２を収納する場合、内袋２内にはペットの遺体が収納されて嵩張り且つ重量があるので、図２５に示すように開口部３５側の上部の上側シート１９ａを持ち上げながら内袋２を収納する必要がある。
このように、上側シート１９ａを持ち上げながら内袋２を収納する場合、上述のように先に敷布団３が収納袋本体１の底部に沿うように収納されているので、その敷布団３によって収納袋本体１の極端な位置ずれ等がある程度は防止され、従って上側シート１９ａを持ち上げる際にも、収納袋本体１が不用意に動くようなこともある程度防止されるので、ペットの遺体が収納された内袋２を収納袋本体１内に収納する作業が非常に容易となる。
上述のように反対側に位置するガゼット６が展開状態とされているので、ペットの遺体が収納された内袋２が重量のあるものであるにもかかわらず、その内袋２を容易に収納袋本体１内に収納することができる。また反対側に位置するガゼット６が展開状態とされることで、敷布団３の収納袋本体１内への収納も容易に行えることとなる。
また、このように反対側に位置するガゼット６を押し広げるために作業者が腕を開口部３５から挿入する際にも、その開口部３５は、収納袋本体１の側辺１ｃ、特に下側シート部１９ｂ側に形成されているので、従来のように袋の側面と上面との境界部分である縁部分に開口部が位置するようなペット用遺体収納袋に比べると、腕を開口部３５から挿入して反対側に位置するガゼット６を押し広げる作業を容易に行うことができる。
一方、敷布団３と内袋２とを収納袋本体１内に収納した直後は、開口部３５が形成された側のガゼット６を構成する上側シート１９ａと下側シート１９ｂとは、前記敷布団３と内袋２とによって、押し込まれた状態となっているので、その開口部３５が形成された側のガゼット６は展開状態となっておらず、また敷布団３と内袋２との一部は収納袋本体１の外側に裸出した状態となっている。そこで、図２６に示すように、一部裸出した敷布団３と内袋２とを開口部３５よりも内側に入れ、開口部３５が形成された側のガゼット６を構成する上側シート１９ａと下側シート１９ｂとを伸ばし、そのガゼット６を展開状態とすることによって、敷布団３と内袋２とを好適に収納することができる。
尚、開口部３５を開口させる際には、図２７に示すように、スライダー摘み１７ａを一方の手（図２７では左手）の指で把持し、それと同時に収納袋本体１のスライダーチャック１４の一端側部分１４ａを、矢印イに示すように他方の手（図２７では右手）の指で収納袋本体１の全体を挟み込むように押さえ、その状態でスライダー摘み１７ａを把持してチャックガイド体１７を図２７の矢印ロ方向に移動させる。
【００４０】
このような収納袋本体１内に、上記ペットの遺体３３が収納された内袋２を収納する場合において、上記スライダーチャック１４は、ガゼット６の形成によって折り込まれた側片１ｃに取り付けられているため、収納袋本体１の開口部３５も同様にガゼット６の形成によって折り込まれた側片１ｃに形成されていることになる。
従って、収納袋本体の側片と表片との境界部分に開口部が形成されていた従来のペット用遺体収納袋に比べると、ペットの遺体を収納する作業が著しく容易となる。
【００４１】
しかも、本実施形態では、側片１ｃの上側シート部１９ａ及び下側シート部１９ｂのうち、下側シート部１９ｂの側にスライダーチャック１４が取り付けられているため、収納袋本体１の開口部３５も同様に側片１ｃの下側シート部１９ｂの側に形成されていることになり、ペットの遺体を収納する作業を一層容易に行うことができる。
【００４２】
特に、本実施形態では、ペットの遺体３３を収納した内袋２と、敷布団３との双方を収納袋本体１に収納するので、開口部３５が形成されている位置によって、ペットの遺体３３を収納した内袋２及び敷布団３の収納作業の容易さに相当な差異が生じることとなる。この点、本実施形態では、上記のように収納袋本体１の開口部３５が側片１ｃの下側シート部１９ｂの側に形成されているので、ペットの遺体３３を収納した内袋２及び敷布団３の収納作業を、他の箇所に開口部３５が形成されている場合に比べて容易に行うことができるのである。
【００４３】
そして、ペットの遺体３３を収納した内袋２及び敷布団３を収納袋本体１内に収納した後、図２８に示すようにスライダーチャック１４を閉じる。このようにスライダーチャック１４を閉じる場合には、先ず図２８の矢印ハ、ニ方向に示すように、上下のチャックシート１５、１５の部分が極力平行になるように整える。これは、ペットの遺体３３を収納した内袋２及び敷布団３を収納袋本体１内に収納した直後においては、開口部３５の上下のチャックシート１５、１５の部分がいびつに広がった状態となっているからである。次に、収納袋本体１のスライダーチャック１４の他端側部分１４ｂを、矢印ホ方向に示すように他方の手（図２８では左手）の指で押さえ、スライダー摘み１７を一方の手（図２８では右手）の指で把持し、その状態でスライダー摘み１７ａを図２８の矢印ヘ方向に移動させる。
【００４４】
上記のようなスライダーチャック１４による収納袋本体１の開閉を行う場合、チャックガイド体１７内にチャック嵌合体１６、１６が案内される状態は、図２９及び図３０に示すとおりである。すなわち、上記図２７のように収納袋本体１の開口部３５を開口させる場合には、チャックガイド体１７の後方側において、図２９に示すように該チャックガイド体１７の上下２室１７ｂ、１７ｃ内にチャック嵌合体１６、１６が収納され、チャック嵌合体１６、１６が離脱した状態となっており、またチャックガイド体１７の前方側においては、図３０に示すように該チャックガイド体１７の１室１７ｄ内にチャック嵌合体１６、１６が収納され、チャック嵌合体１６、１６が相互に嵌合した状態となっている。
一方、上記図２８のように収納袋本体１の開口部３５を閉鎖させる場合には、上記開口時とは逆に、チャックガイド体１７の前方側において、図２９に示すように該チャックガイド体１７の上下２室１７ｂ、１７ｃ内にチャック嵌合体１６、１６が収納され、チャック嵌合体１６、１６が離脱した状態となっており、またチャックガイド体１７の後方側においては、図３０に示すように該チャックガイド体１７の１室１７ｄ内にチャック嵌合体１６、１６が収納され、チャック嵌合体１６、１６が相互に嵌合した状態となっている。
本実施形態では、上述のように１枚の合成樹脂製シートの両端部１８、１８の位置であって、ガゼット６内の部分にスライダーチャック１４が設けられているので、一般的なチャックのみで嵌合する構造を採用することができず、上記のようなチャックガイド体１７を上記チャック嵌合体１６、１６と併用することで、好適な開閉構造を実現することが可能となるのである。
以上のような作業を経て、図３１に示すようにペットの遺体の収納作業は終了する。ペットの遺体３３が収納された状態において、図３２に示すように、収納袋本体１の透明な窓部８から、遺体が収納されたペットの顔が現出された状態となっている。このようにして、ペットの葬儀の準備が完了する。
【００４５】
以上のように、本実施形態では、ペットの遺体を内袋２に収納し、敷布団３に載置した状態で、外袋としての収納袋本体１に収納し、さらに、収納袋本体１の名前表示欄１０にペットの名前を表示しうるとともに、メッセージ表示欄１２にメッセージを表示することができ、さらに生前のペットの写真を収納した写真収納袋４を収納袋本体１の貼着することができるので、ペットに愛着を持つ飼い主にとって、人間と同じように丁重に葬儀を行うことができる。
【００４６】
尚、上記実施形態では、内袋２にペットの遺体を収納し、その内袋２の開口部を封止用シールで封止した上で、外袋である収納袋本体１に収納したため、上述のような好ましい効果が得られたが、上記のような内袋２にペットの遺体を収納し、或いは内袋２の開口部を封止用シールで封止することは本考案に必須の条件ではない。
【００４７】
また、上記実施形態では花柄の装飾模様９が表片１ａの窓部８の周囲と、表片１ａの下部との箇所にのみ施されていたが、図３３に示すように、表片１ａのほぼ全体にわたって、装飾模様９を設けることも可能である。さらに、上記実施形態では、名前表示欄１０やメッセージ表示欄１２、さらには写真収納袋４を貼着する貼着欄１３を収納袋本体１の表片に設けたため、上述のような好ましい効果が得られたが、このような名前表示欄１０、メッセージ表示欄１２、写真収納袋４を貼着する貼着欄１３を設けることも本発明に必須の条件ではない。
【００４８】
さらに、上記実施形態では、スライダーチャック１４や開口部３５を、収納袋本体１の側片１ｃの下側シート部１９ｂ側に設けたため、上述のような好ましい効果が得られたが、下側シート部１９ｂ側に設けることは本発明に必須の条件ではなく、
上側シート部１９ａ側に設けることも可能である。
【００４９】
さらに、上記実施形態では、チャックとして、１対のチャックシート１５、１５
と、１対のチャック嵌合体１６、１６と、スライダー摘み１７とを具備したチャックガイド体１４が用いられていたが、チャックの種類はこれに限定されるものではない。
【００５０】
さらに、収納袋本体１や内袋２の形状や材質も上記実施形態に限定されない。
【図面の簡単な説明】
【００５１】
【図１】一実施形態としてのペット用遺体収納袋の構成部材を示す正面図。
【図２】収納袋本体の正面図。
【図３】収納袋本体の正面図。
【図４】収納袋本体の背面図。
【図５】収納袋本体の側面図。
【図６】収納袋本体の要部拡大側面図。
【図７】図３のＡ−Ａ線中間省略拡大断面図。
【図８】図３のＢ−Ｂ線中間省略拡大断面図。
【図９】チャック部分の要部拡大断面図。
【図１０】内袋の正面図。
【図１１】図１０のＣ−Ｃ線断面図。
【図１２】図１２のＤ−Ｄ線断面図。
【図１３】敷布団の平面図。
【図１４】図１３のＥ−Ｅ線断面図。
【図１５】写真収納袋の正面図。
【図１６】図１５のＦ−Ｆ線断面図。
【図１７】封止用シールの正面図。
【図１８】図１７のＧ−Ｇ線断面図。
【図１９】内袋のガゼットを展開した状態の斜視図。
【図２０】内袋にペットの遺体を収納する状態を示す概略斜視図。
【図２１】内袋の開口部を封止する状態を示す概略斜視図。
【図２２】写真収納袋を収納袋本体に貼着した状態の要部断面図。
【図２３】ペットの遺体を収納した内袋と敷布団とを収納袋本体に収納する状態を示す概略斜視図。
【図２４】同概略側面図。
【図２５】ペットの遺体を収納した内袋を収納する場合に、上側シートを持ち上げる状態を示す概略側面図。
【図２６】同収納後の概略側面図。
【図２７】収納袋本体のスライダーチャックを開く状態を示す概略斜視図。
【図２８】収納袋本体のスライダーチャックを閉じる状態を示す概略斜視図。
【図２９】チャックガイド体内にチャック嵌合体が案内される状態の要部概略断面図。
【図３０】チャックガイド体内にチャック嵌合体が案内される状態の要部概略断面図。
【図３１】収納袋本体にペットの遺体を収納した状態の概略斜視図。
【図３２】収納袋本体にペットの遺体を収納した状態の概略正面図。
【図３３】他実施形態の収納袋本体の正面図。
【符号の説明】
【００５２】
１…収納袋本体                  ２…内袋
３…敷布団                      ４…写真収納袋
５…封止用シール                ６…ガゼット
【図１】
2008194081.tif 000003
【図２】
2008194081.tif 000004
【図３】
2008194081.tif 000005
【図４】
2008194081.tif 000006
【図５】
2008194081.tif 000007
【図６】
2008194081.tif 000008
【図７】
2008194081.tif 000009
【図８】
2008194081.tif 000010
【図９】
2008194081.tif 000011
【図１０】
2008194081.tif 000012
【図１１】
2008194081.tif 000013
【図１２】
2008194081.tif 000014
【図１３】
2008194081.tif 000015
【図１４】
2008194081.tif 000016
【図１５】
2008194081.tif 000017
【図１６】
2008194081.tif 000018
【図１７】
2008194081.tif 000019
【図１８】
2008194081.tif 000020
【図１９】
2008194081.tif 000021
【図２０】
2008194081.tif 000022
【図２１】
2008194081.tif 000023
【図２２】
2008194081.tif 000024
【図２３】
2008194081.tif 000025
【図２４】
2008194081.tif 000026
【図２５】
2008194081.tif 000027
【図２６】
2008194081.tif 000028
【図２７】
2008194081.tif 000029
【図２８】
2008194081.tif 000030
【図２９】
2008194081.tif 000031
【図３０】
2008194081.tif 000032
【図３１】
2008194081.tif 000033
【図３２】
2008194081.tif 000034
【図３３】
2008194081.tif 000035